Podtech/llm-jp-corpus-v4-ja_patent huggingface dataset:
(57)【要約】      （修正有）【課題】視覚障害者難聴者が歩行中に点字ブロックの破損、駅での点字ブロックの未確認などで行き先が不明になった時、健常者に行き先を聞く為の装置を提供する。【解決手段】杖に取り付け可能で光の点滅、音声、振動を発生させる装置４であって、装置の前面に電源スイッチ７、スピ一カ８、ＬＥＤライト９、１０、及びバイブレータを設け、背面は杖に当たる面とし、装置の両側面に固定具用孔１２を設け、固定具用孔に対し、帯状の固定具を通し杖に巻いて固定する。装置内部にはマトリックスメモリ一回路、言語メモリ一回路、プロセス増幅器、スピ一カ用増幅器、ＬＥＤライト点滅回路、バイブレ一タ増幅器、蓄電池、を積層板に取り付け、視覚障害者難聴者が電源スイッチを押すとスピ一カよりタスケテ、タスケテ、と言語が発生し、同時にＬＥＤライトが点滅し、バイブレ一タが振動して援助者を呼ぶ。【選択図】図３
0003225876.tif 000002
【実用新案登録請求の範囲】
【請求項１】
杖に取り付け可能で光の点滅、音声、振動を発生させる装置であって、電源スイッチと、スピ一カと、ＬＥＤライトとを設けて、前記装置の背面から前面に向かつておおうように固定具を設けてあることを特徴とする視覚障害者難聴者用点滅発音振動装置。
【考案の詳細な説明】
【技術分野】
【０００１】本考案は、視覚障害者難聴者が歩行中に行き先がわからなくなった時に、杖の近傍に取り付けてある視覚障害者難聴者用点滅発音振動装置の電源スイッチをＯＮにすると、スピ一カから「タスケテ、タスケテ」と呼びかけ、又、バイブレ一タが振動して装置が作動している事を確認できる。近くの健常者は、スピ一カの音又は光の点滅を見て援助することが可能となる。視覚障害者及び難聴者の事故防止の為の視覚障害者難聴者用点滅発音振動装置に関するものである。
【背景技術】
【０００２】視覚障害者、難聴者が点字ブロックなどの破損や、未設置により人身事故がいまだに発生しているため対策が急がれている。視覚障害者、難聴者が安心して外出できていないのが現状である。
【先行技術文献】
【特許文献】
【０００３】
【特許文献１】特開第２０１４−３６８号公報
【特許文献２】特開第２０１７−４２２５１号公報
【考案の概要】
【考案が解決しようとする課題】
【０００４】視覚障害者、難聴者が目的地に行く道のりは障害物が多すぎて時折立ち止まり、行き先を聞きたくても聞けない事があり、自分で方向確認した為に誤って人身事故が発生しているのが現状である。市販の杖は、これらに対応していないのが現状で、特開第２０１４−３６８号公報は、向かつて来る人や自転車に対して視覚障害者、難聴者が居る事を知らせることができるが、目的地を聞くことは出来ない。又、特開第２０１７−４２２５１号公報は、歩行を支援する白杖に関するものであり、視覚障害者が障害物を回避できるように、歩行すべき方向を決定し杖先端の車軸を操舵する高価な杖であり、一般の視覚障害者、難聴者が使える杖ではない。これらの欠点を解決しようとするものである。
【課題を解決するための手段】
【０００５】本考察に係る視覚障害者難聴者用点滅発音振動装置は、杖に取り付け可能で、光の点滅、音声により歩行を支援する装置であって、前記装置の背面に電源スイッチと、スピ一カと、ＬＥＤライトとを設けて、前記装置の背面から前面に向かつておおうように固定具を設けてあることを特徴とするものである。
【考案の効果】
【０００６】本考案によればＬＥＤライトの点滅と、音声の発生と、振動が同時に作動することで周囲の歩行者へ注意喚起するとともに、視覚障害者難聴者自身にも当該状態を知らしめる事ができ、安心安全に歩行することができる。
【図面の簡単な説明】
【０００７】
【図１】杖に取り付けられた視覚障害者難聴者用点滅発音振動装置
【図２】杖に取り付けられた視覚障害者難聴者用点滅発音振動装置の断面図（Ｘ一Ｙ断面）
【図３】視覚障害者難聴者用点滅発音振動装置の斜視図。
【図４】制御ユニットの構成図
【考案を実施するための形態】
【０００８】以下、本発明の実施の形態を説明する。
【０００９】杖２に、視覚障害者難聴者用点滅発音振動装置本体４を、固定具３で取り付ける。視覚障害者難聴者用点滅発音振動装置の電源スイッチ７をＯＮにすると視覚障害者難聴者用点滅発音振動装置の全ての電気回路に電圧が加わり作動する。
【００１０】援助者用スピ一カ８より言語を発生させるには、別品のキ一ボ一ド（工場出荷時でメモリ一化する）でマトリックスメモリ一回路と言語メモリ一回路を作動させ援助者用スピ一カ８からどんな文言を発生させるか選択（たとえば、「タスケテ、タスケテ」と自動で繰り返す）し、メモリ一回路に保存しておく。電源スイッチがＯＮにされた時点で選択された文言は、プロセス増幅器を径由してスピ一カ用増幅器に入り、援助者用スピ一カ８より文言が発生される。
【００１１】ＬＥＤライト９、１０、１１を発光させるには、電源スイッチ７をＯＮにするとプロセス増幅器を径由し、ＬＥＤライト点滅回路を径由しＬＥＤライトは自動点滅する。
【００１２】バイブレ一タ本体１７を作動させるには、電源スイッチ７をＯＮにし、プロセス増幅器及びバイブレ一タ作動用増幅器が作動してバイブレ一タ本体が作動する（バイブレ一タは難聴者用）。
【符号の説明】
【００１３】  １、杖の持ち手
２、杖の支柱
３、固定具
４、視覚障害者難聴者用点滅発音振動装置
５、杖の下部支柱
６、杖の滑り止め具
７、電源スイッチ
８、援助者用スピ一カ
９、ＬＥＤライト
１０、ＬＥＤライト
１１、ＬＥＤライト
１２、固定具用孔
１３、杖の持ち手と杖の支柱の接続部
１４、外部端子
１５、部品収容プリント基盤
１６、外ケ一ス本体
１７、バイブレ一タ
【図１】
0003225876.tif 000003
【図２】
0003225876.tif 000004
【図３】
0003225876.tif 000005
【図４】
0003225876.tif 000006
【手続補正書】
【提出日】令和2年1月17日(2020.1.17)
【手続補正１】
【補正対象書類名】実用新案登録請求の範囲
【補正対象項目名】全文
【補正方法】変更
【補正の内容】
【実用新案登録請求の範囲】
【請求項１】
杖に取り付け可能で光の点滅、音声、振動を発生させる装置であって、前記装置の前面に電源スイッチ、スピ一カ、ＬＥＤライトを設け、背面は杖に当たる面とし、前記装置の両側面に固定具用孔を設け、この固定具用孔に対し、帯状の固定具を通し杖に巻いて固定する事を特徴とする視覚障害者難聴者用点滅発音振動装置。
(57)【要約】      （修正有）【課題】台風他河川の増水による浸水を防ぎ、家屋、家財道具の財産を守る事が出来る自動浸水防止門を提供する。【解決手段】通常時は、門の中の敷き鉄板の上を自動車から歩行者まで通行出来、増水、冠水時には、自然の力で自動に敷き鉄板が水位に合わせ垂直方向に起き上がって浸水を防止する門であって、浸水防止門１の柱と柱の内側根本に兆番で複数枚の敷鉄板２を片側固定し、兆番反対側の下側約半分に浮力材３を取り付け、浸水防止門の両柱高所に取付けた２個の滑車５にステンレスワイヤー４を各１本ずつ通し、片側を敷鉄板２の兆番反対側に取付け、ワイヤーのもう片側を錘６に取付けて、錘と浮力材の融合により、洪水時に水位以上に敷鉄板を自動で垂直に起き上がらせて浸水を防止する。【選択図】図１
0003225860.tif 000002
【実用新案登録請求の範囲】
【請求項１】
普段の不使用時は自動車、単車、自転車、歩行者が通行出来、洪水浸水時の増水の力と錘を利用し、強固な鋼材を水位以上に合わせ垂直方向に自動的に起して使用し増水を敷地内に浸水させない門一体型構造で川の氾濫他の増水の浸水を防止出来ると言う電気不要の自動浸水防止門に関する発明である。
図面の番号により説明する。
自動浸水防止門の設置は敷地に敷地外部から浸水しない様、敷地を塀で囲んであり雨水排水溝も敷地外より逆流し敷地内へ入ってこなく排水ポンプ等で排水出来る敷地である事が必要条件であり、通常は敷き鉄板２の上を自動車から人まで出入り通行出来、大雨、洪水、増水等排水溝の水があふれた時は敷地内へ浸水しない様、浸水防止門１に組み込んだ敷鉄板２に取付た浮力材３が洪水によりステンレスワイヤー４と滑車５を介して錘６と３の融合により水位以上に２が電気を使わず自動で垂直に起き上がって浸水を防止出来る様、６と３で２の比重とを調整し３の所へ浸水が来たら３の浮力で敷き鉄板が徐々に垂直方向へ起き上がり浸水を防止その時横鉄板７や２の隙間から浸水しない様隙間はコンクリート詰めやゴムパッキン等で浸水防止する事でより一層効果が得られ場所により高さや巾を調節加工し錆びない様、鋼材は溶融亜鉛メッキという構造を有する自動浸水防止門。
【考案の詳細な説明】
【技術分野】
【０００１】本発明は洪水時に敷地内への浸水防止に関するものである。
【背景技術】
【０００２】昨今、台風豪雨により堤防決壊や増水で床上浸水等の被害が増えている。
【考案の開示】
【考案が解決しようとする課題】
【０００３】増水により床上浸水被害を無くする様、浸水防止しようと考えたもので有る。
【課題を解決するための手段】
【０００４】通常は自動車や人が出入り出来、増水時は逆に増水を利用し強固な材質で浮力材と錘で自動で門を垂直に起こして行き浸水を防止出来浸水被害と言う前述の欠点を解決しようとするものである。
【考案の効果】
【０００５】上述の様に、本発明の浸水防止門は、増水時に敷地内へ浸水防止出来浸水被害、財産被害を守る効果がある。
【考案を実施するための最良の形態】
【０００６】浸水防止しようとする敷地を囲む塀が有り排水は逆流し敷地内へ入って来なく排水ポンプが有れば浸水はどこからも皆無となり浸水防止門が閉じれば浸水は防止出来る形態である。
【実施例】
【０００７】以下、添付図面に従い実施例を説明する。（１）は両側に柱を立て上部でつないだ門で（２）は通常の増水ナシの位置で自動車や人が通行出来、洪水時（３）と（４）の力で水位に合わせ（４）（５）を介し垂直方向に起こして行き浸水を防止出来その他の（７）や（８）も合わせ一体型とするが据付に適した分解出来る構造である。
【産業上の利用可能性】
【０００９】避難所や都道府県庁、市町村庁水害の予想される所にも必要で有る。
【図面の簡単な説明】
【００１０】
【図１】  自動浸水防止門側面動作時全体図である。
【図２】  自動浸水防止門敷地内から見た正面図である。
【図３】  自動浸水防止門不使用時通常状態の側面図である。
【図４】  自動浸水防止門不使用時敷地内から見た通常状態の正面図である。
【符号の説明】
【００１１】１            浸水防止門
２            敷き鉄板
３            浮力材
４            ステンレスワイヤー
５            滑車
６            錘
７            両横鉄板
８            補強鋼材
【図１】
0003225860.tif 000003
【図２】
0003225860.tif 000004
【図３】
0003225860.tif 000005
【図４】
0003225860.tif 000006
【手続補正書】
【提出日】令和2年1月15日(2020.1.15)
【手続補正１】
【補正対象書類名】実用新案登録請求の範囲
【補正対象項目名】全文
【補正方法】変更
【補正の内容】
【実用新案登録請求の範囲】
【請求項１】
自動浸水防止門の設置は道路より敷地内へ出入りする道路に面した正門から敷地内へ約２メートル入った所に設置し敷地内に敷地外部から浸水しない様、敷地を塀で囲んであり敷地外に有る雨水排水溝も敷地外より逆流し敷地内へ浸水せず少量の浸水は敷地内最低地盤位置に掘り下げた雨水桝に設置した排水ポンプで排水出来る設備を設けた敷地である事が必要条件であり、通常は鳥居形状の高さ約４メートルの浸水防止門（１）の真下に両端スロープ付き１００ミリメートル位段差の有る敷鉄板（２）を道路と水平に組み込み敷鉄板（２）の上を自動車から歩行者まで出入り通行出来、大雨、洪水、増水等排水溝の水があふれた時は敷地内へ浸水しない様、浸水防止門（１）の柱と柱の内側根本に兆番を取付片側固定した何枚かを組み込んだ敷鉄板（２）の兆番反対側の下側約半分に取付た浮力材（３）が大雨、洪水、増水時浸水防止門（１）の両柱高所に取付た２個の滑車（５）にステンレスワイヤー（４）を各１本ずつ通し片側を敷き鉄板（２）の兆番反対側に取付ステンレスワイヤーのもう片側を錘（６）に取付、錘（６）と浮力材（３）の融合により洪水水位以上に敷鉄板（２）が電気を使わず自動で兆番を軸に垂直に起き上がって浸水を防止出来る様、錘（６）と浮力材（３）で敷鉄板（２）の比重とを調整し浮力材（３）の所へ浸水が来たら浮力材（３）の浮力と錘の力で敷き鉄板（２）が徐々に垂直方向へ起き上がり浸水を防止その時垂直方向へ起き上がる時に浸水しない様浸水防止門の両外側に取付た横鉄板（７）や敷鉄板（２）の隙間から浸水しない様隙間はコンクリート詰めやゴムパッキンで漏れ浸水防止する事で、より一層効果が得られ浸水防止門取付場所により高さや巾を調節加工し錆びない様、鋼材は溶融亜鉛メッキという構造を有する自動浸水防止門。
(57)【要約】      （修正有）【課題】従来の救命浮袋の機能が低く活用するのに制限があった欠点を除いて、津波や高波による災害現場より迅速に長期間安全を確保する事ができる救命水上ベッドを提供する。【解決手段】複数のアルミ蒸着シート製袋７を含んで構成される救命水上ベッドであって、電動エアポンプ１の電源ＳＷ２を操作して、電源３から供給した電力で空気をホース４より本体５の複数のマイラー（アルミ蒸着）バルーン６に充填し、複数のアルミ蒸着シート製袋７に挿入する。復原性用重り８を複数セットする。電動エアポンプ１が誤動作を起こした場合、手動用空気ポンプ９を使用する。【選択図】図１
0003225884.tif 000002
【実用新案登録請求の範囲】
【請求項１】
多層で複数のアルミ蒸着シート製袋を含んで構成される救命水上ベッドであって、複数のマイラー（アルミ蒸着）バルーンを本体内に挿入されることを特徴とする救命水上ベッド
【考案の詳細な説明】
【考案の詳細な説明】
【技術分野】
【０００１】保案機械器具分野
【背景技術】
【０００２】  従来、身体装着や浮輪及び乗船用救命浮袋はあったが、保案機器としての機能が低く、活用するのに制限があった。
【考案の開示】
【考案が解決しようとする課題】
【０００３】  本案は、その欠点を除いて、しかも機能を活かした救命水上ベッドを開発しようとするものである。
【課題を解決するための手段】
【０００４】  いま、その解決手段を図面を追いながら説明すれば
（イ）  電動エアポンプ（１）の電源ＳＷ（２）を操作して、電源（３）から供給した電力で空気をホース（４）より本体（５）の複数のマイラー（アルミ蒸着）バルーン（６）に充填し、複数のアルミ蒸着シート製袋（７）に挿入する。復原性用重り（８）を複数セットする。
（ロ）  電動エアポンプ（１）が誤動作を起こした場合、手動用空気ポンプ（９）を使用する。
【考案の効果】
【０００５】  本案は、以上のような構造であるから、これを使用する事により、多層で複数のマイラー（アルミ蒸着）バルーン及びアルミ蒸着シート製袋が支水隔壁の役割をして、水密区画され長期間沈没しない様にできる救命水上ベッドである。
【考案を実施するための最良の形態】
【実施例】
【０００６】なお、本案の実施にあたって次の如きことができる。
（イ）  多層で複数のマイラー（アルミ蒸着）バルーン（６）及びアルミ蒸着シート製袋（７）を本体（５）に挿入する事で寝たきり老人や病人及び被災者を津波や高波による災害現場より迅速に長期間安全を確保する事ができる。
【図面の簡単な説明】
【０００７】
【図１】本考案の救命水上ベッドの正面図
【符号の説明】
【０００８】（１）電動エアポンプ  （２）電源ＳＷ  （３）電源  （４）ホース
（５）本体  （６）マイラー（アルミ蒸着）バルーン  （７）アルミ蒸着シート製袋
（８）複原性用重り  （９）手動用空気ポンプ
【図１】
0003225884.tif 000003
(57)【要約】      （修正有）【課題】入浴者が満足できる温度まで、浴室用の保温シートの温度を上げる事ができる浴室用即暖床を提供する。【解決手段】浴室に置く事ができる、樹脂、或いはゴムからなる薄いバット状の枠２の中に、粒状の突起１を縦横に整然と並べ、粒状の突起と突起の隙間にできた溝に、シャワーの湯や浴槽４に張った湯を湯船用手桶によって注ぎ込む事により、湯の熱を利用して即暖できる。また、湯タンポの原理を応用した簡単な造形物として、日常で普通に使われている樹脂、或いはゴムを採用する事で、容易に製造する事が可能になり、軽量化をはかる事により、コンパクトに設置・収納を実現でき、実用に優れたものである。【選択図】図１
0003225887.tif 000002
【実用新案登録請求の範囲】
【請求項１】
樹脂、或いはゴムからなる薄いバット状の平板の中に、粒状の突起を縦横に整然と並べ、粒状の突起と突起の隙間にできた溝へ、シャワーの湯や浴槽に張った湯を湯船用手桶によって注ぎ込む事により、湯の熱を利用して即暖できる浴室用即暖床に関する。
【考案の詳細な説明】
【技術分野】
【０００１】  本考案は、樹脂、或いはゴムからなる浴室用即暖床に関する。
【背景技術】
【０００２】  浴室用保温シートは、広く普及し流通している。
【考案の概要】
【考案が解決しようとする課題】
【０００３】  しかしながら、従来の浴室用の保温シートでは、外部からの保温システムが無い為、浴室者が満足できる温度までシートの温度を上げる事ができなかった。
【課題を解決するための手段】
【０００４】  本考案は、樹脂、或いはゴムからなる浴室に置けるバット状の平板の中に、粒状の突起を縦横に整然と並べ、粒状の突起と突起の隙間にできた溝に、シャワーの湯や浴槽に張った湯を湯船用手桶によって注ぎ込む事により、湯の熱を利用して即暖でき、これにより上記課題を解決するものである。
【考案の効果】
【０００５】  本考案に関わる浴室用即暖床は、湯タンポの原理を応用した簡単な造形物として、日常で普通に使われている樹脂、或いはゴムを採用する事で、容易に製造する事が可能になり、軽量化をはかる事により、コンパクトに設置・収納を実現でき、実用に優れたものである。
【図面の簡単な説明】
【０００６】
【図１】本考案に関わる浴室用即暖床の実施形態を示す概観図である。
【図２】本考案に関わる浴室用即暖床の透視断面図である。
【考案を実施するための形態】
【０００７】  図１に示すように浴室の床上に敷き、浴槽やシャワーの湯水を注入して、バット状の平板の溝の中にくまなく満たし拡げるようにする。
【０００８】  図２に示すように、樹脂、或いはゴムからなる薄いバット状の平板の中に、粒状の突起と突起の隙間にできた溝に、シャワーの湯や浴槽に張った湯を湯船用手桶によって注ぎ込めるようにする。
【０００９】  上記工程により完成した本考案の浴室用即暖床は寒冷の時期で浴室をすぐに暖まらない場合に、湯タンポの原理を利用し浴室の洗い場での即暖化を実現でき快適な入浴を楽しめる。
【符号の説明】
【００１０】１  粒状突起
２  枠
３  溝
４  浴槽
【図１】
0003225887.tif 000003
【図２】
0003225887.tif 000004
(57)【要約】      （修正有）【課題】アクセルペダルとブレーキペダルとの間に足（靴）が置かれている場合、その足（靴）がブレーキペダル裏面に引っ掛かることなく円滑に持ち上げられ、例えば急停止が必要なとき、直ちにブレーキペダルを踏み込むことができ安全に運転できる自動車用ブレーキペダルに装着するカバーを提供する。【解決手段】ブレーキペダル本体１に装着するペダルカバー５であって、ペダルカバー本体６の上部外縁８は、ブレーキペダル本体の踏み板２の外縁３と同一の高さとなるように構成する。下部外縁９はブレーキペダル本体の踏み板の下側を包むように内側に曲げた曲面状に構成する。後方外縁１０はブレーキペダル本体のアーム４の方向に内側に曲げた曲面状に構成する。【選択図】図２
0003225888.tif 000002
【実用新案登録請求の範囲】
【請求項１】
ブレーキペダル本体にペダルカバーが装着されたとき、そのカバー本体がブレーキペダル本体の踏み板周縁と同一の高さとなり踏み板と同一面となるよう上部外縁が形成してあり、その下側外縁は踏み板を包む角度で曲面状に形成してあり、その後方外縁はブレーキペダル本体に繋がるアームを囲うような角度で曲面上に形成してあることを特徴とする、自動車用ブレーキペダルに装着するペダルカバー
【考案の詳細な説明】
【技術分野】
【０００１】  この考案は、自動車におけるブレーキペダルの縁部にペダル自体を操作している足、靴等が引っ掛かるのを防止し、床面上からのブレーキペダルへの足、靴の移動を円滑にし、安全に運転できるように自動車用ブレーキペダルに装着するペダルカバーに関する考案である。
【背景技術】
【０００２】  従来からオートマチック車をはじめとする各種の自動車のブレーキペダルは、アクセルペダルの左側に配置されており、ブレーキペダル自体は、その殆どが図１に示されるように平面矩形状の踏み板２と、アーム４より形成されておりアーム４は踏み板２の下部中央に接合している。【０００３】  ブレーキペダルの踏み板２の縁３の断面はほとんどが矩形またはそれに近い形状で形成されている。
【先行技術文献】
【特許文献】
【０００４】
【特許文献１】特に無し
【考案の概要】
【考案が解決しようとする課題】
【０００５】  図１に示されるような従来のこのような踏み板２の形状は、一時的な足（靴）Ｆの動きの停止、休息によってブレーキペダルとアクセルペダルとの間で足Ｆが床面に置かれているとき、ブレーキペダルを踏み込むために足Ｆを一旦持ち上げるようブレーキペダル下方から抜き出そうとしたばあい、足Ｆが踏み板２の縁３に引っ掛かり、持ち上げられずにブレーキペダルを踏み込めず、重大事故に繋がるおそれがある。【０００６】  そこでこの考案は上述したような従来存在した課題に鑑み案出されたもので、その目的はアクセルペダルとブレーキペダルとの間に足（靴）が置かれている場合、その足（靴）がブレーキペダル裏面に引っ掛かることなく円滑に持ち上げられ、例えば急停止が必要なとき等で直ちにブレーキペダルを踏み込むことができるようにして安全に運転できる自動車用ブレーキペダルのカバーを提供することにある。
【課題を解決するための手段】
【０００７】  この考案にあっては、後述する考案を実施するための形態における使用符号を付記して説明する。上述した課題を解決するため図２に示すように、考案したペダルカバー５はブレーキペダル本体１に固定して装着する。【０００８】  このときペダルカバー本体６の上部外縁８は、ブレーキペダル本体１の踏み板２の外縁３と同一の高さとなるようにして構成する。下部外縁９はブレーキペダル本体１の踏み板２の下側を包むように内側に曲げ曲面状に加工して構成する。後方外縁１０はブレーキペダル本体１のアーム３の方向に内側に曲げ曲面状に加工して構成する。
【考案の効果】
【０００９】  この考案は以上説明したように構成されているため、ブレーキペダル本体１の踏み板２周縁への足（靴）Ｆのペダル等との引っ掛かりはカバー本体５により阻止される。足（靴）Ｆの円滑な移動、それによるブレーキペダルの確実な操作等を可能にしている。【００１０】  また、ペダルカバー５は、ブレーキペダル本体１の踏み板２周縁に手前から右側に沿うように形成されておりアーム３まで繋がって曲面状に覆っていることにより、運転中の足（靴）Ｆをブレーキペダルの周囲で移動させたとしても、ブレーキペダルのいずれの面にも引っ掛かることがなく、安全な運転操作を可能としている。
【図面の簡単な説明】
【図１】従来例と生じる課題を示した斜視図
【図２】この考案を実施するための一形態を示す斜視図
【図３】同じ斜視図
【図４】同じ斜視図
【考案を実施するための形態】
【００１１】  以下、本考案の実施形態であるペダルカバー５について具体的に説明する。図３に示すように、考案したペダルカバー５はカバー本体６とアーム固定部分７から成るように構成する。ペダルカバー５の材質はステンレスやアルミ等の金属を加工して構成してもよいし、プラスチックを成型して構成してもよい。
【００１２】  アーム固定部分７はカバー本体６に接合して形成する。アーム固定部分７にはブレーキペダル本体１に嵌め込むための溝を形成し、図４に示すように、ブレーキペダル本体１のアーム３に、アーム固定部分７を嵌め込んでペダルカバー５をブレーキペダル本体１に固定する。アーム固定部分７についてはボルト等を用いてアーム３に固定してもよい。
【００１３】  ペダルカバー本体６の上部外縁８は、ブレーキペダル本体１の踏み板２の外縁３と同一の高さとなるようにし、外縁３が湾曲している場合はその曲線に沿うように曲面状に加工して構成する。
【００１４】  ペダルカバー本体６の下部外縁９はブレーキペダル本体１の踏み板２の下側を包むように内側に曲げ曲面状に加工して構成する。
【００１５】  ペダルカバー本体６の後方外縁１０はブレーキペダル本体１のアーム３の方向に内側に曲げ曲面状に加工して構成する。
【符号の説明】
【００１６】１…ブレーキペダル本体
２…踏み板
３…踏み板外縁
４…アーム
５…ペダルカバー
６…ペダルカバー本体
７…アーム固定部
８…ペダルカバー上部外縁
９…ペダルカバー下部外縁
１０…ペダルカバー後方外縁
Ｆ…足（靴）
【図１】
0003225888.tif 000003
【図２】
0003225888.tif 000004
【図３】
0003225888.tif 000005
【図４】
0003225888.tif 000006
(57)【要約】      （修正有）【課題】電線を接続する圧着端子の電線接続部に止水性を付与し、電線敷設作業現場における止水作業を簡略できる圧着端子を提供する。【解決手段】筒状あるいは略筒状の電線接続部１の端面と電線接続部から延出した部位を会合、概当接５させ、空隙を水密に閉塞することによって電線接続部の開口部に止水性を付与する。【選択図】図１
0003225339.tif 000002
【実用新案登録請求の範囲】
【請求項１】
筒状あるいは略筒状の電線接続部と、電気機具との接続部を有する圧着端子において、その電線接続部の端部から延出し電気機具との接続部へ繋がる中継部位が、電線接続部の端面と会合、概当接するように屈曲し、その会合、概当接箇所の空隙が水密に閉塞していることを特徴とする圧着端子。
【考案の詳細な説明】
【技術分野】
【０００１】本考案は、電線を電気機器に接続するための圧着端子の構造に関するものである。
【背景技術】
【０００２】圧着端子とは電線導体を電気的に接続する金属製部品であり、電線導体を接続するための筒状の部位（以後、電線接続部と称する）と、電気機具と接続するための部位（以後、機具接続部と称する）を有する。この電線接続部に電線導体を挿入した後に工具で加締めること（圧着）によって電線と接続する。【０００３】圧着端子の構造は次の２つが公知である。
１）金属板の一部が略筒状に湾曲し、この略筒状部位を電線接続部として残る部位を機具接続部としたもの。
２）金属管そのものを電線接続部として利用し、管の一部を概平面状に成形してこれを機具接続部としたもの。
いずれの構造も機具接続部にはネジ止め用の孔が開けられているのが一般的である。
【先行技術文献】
【特許文献】
【０００４】
【特許文献１】公開特許公報  特開平７−２２６２８３
【特許文献２】公開特許公報  特開２００３−９２０２５
【考案の概要】
【考案が解決しようとする課題】
【０００５】特許文献１の図５〜図７で示された圧着端子が広く普及しているが、電線接続部は両端が開口しているため、電線導体が露出する箇所が２か所存在する。１つは電線接続部と電線の絶縁被覆との間。もう１つは電線導体先端部である。【０００６】屋外に敷設される電線では電線導体が露出した箇所から電線の絶縁被覆内部へ水が浸入し電線導体が腐食して断線に至る恐れがある。このため電線接続部と電線の絶縁被覆との間は密着性に優れたテープを水密に巻き付けることで水の侵入を防いでいる。しかし電線導体先端部は形状が複雑で凹凸があるためテープを水密に巻き付けることが困難であるため、主に液状、半固体状の合成樹脂、合成ゴムなどを塗布、充填して止水性能を得るのが一般的工法となっている。しかし、この工法では合成樹脂、合成ゴムなどが硬化するまで作業者は作業現場で待機しなければならず負担となっている。【０００７】一方、特許文献２の図４で示された金属管を用いた圧着端子も普及している。この圧着端子では管の一部が概平面であり電線接続部の開口部は電線の絶縁被覆側のみであり他方は概閉塞している。したがって前述の合成樹脂、合成ゴムあるいはロウ付けなどの適切な方法でこの概閉塞部を管内部側より予め封止しておけば、電線導体先端部側からの水の侵入は防ぐことができるので、作業現場での合成樹脂、合成ゴムなどを塗布する作業を省くことができる。【０００８】ところが、金属管を用いた圧着端子の場合、接続しようとする電線導体の断面積に応じて適切な直径を有する金属管を用いなければならないため、概平面となっている機具接続部の幅は管の直径に基づき一意に決まってしまうため大きな機具接続部を得ることができず、ネジ止め用の孔の直径はある程度以上に大きくすることができない。【０００９】本考案は上記問題点を解決するためになされたもので、作業現場での止水作業の労力を低減させることを目的とする。
【課題を解決するための手段】
【００１０】本考案は、筒状あるいは略筒状の電線接続部と機具接続部を有する圧着端子において、電線接続部の端部から延出し電線接続部と機具接続部を中継する部位が電線接続部の端面と会合、概当接するよう屈曲し、この会合、概当接箇所の空隙が水密に閉塞していることで電線接続部の止水性を付与し課題を解決している。この機具接続部の形状、寸法は電線接続部の寸法とは無関係に決めることが可能であるから、電気機具との接続設計の自由度が高く、接続様態の選択肢が増え接続作業の利便性向上に役立つ。
【考案の効果】
【００１１】本考案によれば電線敷設作業現場での前述の合成樹脂、合成ゴムなどの塗布、充填といった煩雑な作業が不要となり作業者の負担を軽減できる。
【図面の簡単な説明】
【００１２】
【図１】本考案の実施形態１の側面図と正面図
【図２】本考案の実施形態２の側面図と正面図
【考案を実施するための形態】
【００１３】図１は本考案の実施形態１である。金属板を金型で打ち抜くなどして所定の形状を得た後、一部分を略筒状に曲げ起こし電線接続部１とする。
電線接続部端面２と電線接続部１の一部が延出して機具接続部３に至るまでの中継部４が会合、概当接するよう折り曲げた構造としている。
【００１４】電線接続部端面２と移行部４の会合、概当接箇所５の空隙を溶接あるいはロウ付けなどによって水密に閉塞すれば本考案の圧着端子を得ることができる。なお略筒状に曲げ起こした電線接続部の閉接部６も同様に溶接、ロウ付けなどで閉塞するのは、公知である従来の圧着端子と同じである。
【００１５】図２は実施形態２である。実施形態１の機具接続部を屈曲させて電線の引き出し方向を変えたものである。
【産業上の利用可能性】
【００１６】本考案による圧着端子は、既存の金属板加工技術で製作できるので産業上の利用可能性は高い。電線敷設作業現場における電線接続部の止水作業が簡略できるので、これを市場に提供すれば作業者の負担減少、資源やエネルギーの消費抑制に寄与することができ環境保全にも役立つ。
【符号の説明】
【００１７】１  電線接続部
２  電線接続部端面
３  機具接続部
４  中継部
５  会合、概当接箇所
６  閉接部
【図１】
0003225339.tif 000003
【図２】
0003225339.tif 000004
(57)【要約】【課題】使用後、手で時間と手間をかけて巻き取る必要があった長いバンテージを素早く簡単に巻き、かつ外観を整った仕上がりにできるバンテージ巻き器を提供する。【解決手段】本体をコの字型にして、そこにバンテージを引っ掛ける軸を２本備える。そして、二股の巻取り棒を附属させる。バンテージを本体の軸２本に引っ掛け、バンテージの端を巻取り棒の二股部分に挟み込んだ状態で巻取り棒を回すことで容易にバンテージを巻き取ることができる。引っ掛け軸２本を備えることで巻取りの過程でヨレやシワが生じない為、外観も良く仕上がる。【選択図】図２
0003225378.tif 000002
【実用新案登録請求の範囲】
【請求項１】
本体と巻き棒から成るバンテージ巻き器。
【請求項２】
本体はコの字型であり、バンテージを引っ掛ける棒2本を備え、本体とは別にバンテージを挟み込んで巻き取れる巻き棒を備えた、手軽で素早くかつ見た目も綺麗にバンテージを巻くことを可能にするバンテージ巻き器。
【考案の詳細な説明】
【技術分野】
【０００１】
本考案はバンテージを簡単かつ素早く巻き取る事ができ、かつ携帯にも便利なバンテージ巻き取り器である。
【背景技術】
【０００２】
現在バンテージはボクシングや空手等様々な競技の際に使用される。使用後、大半の使用者はバンテージを手で巻き取って巻物状にして保管する。
【考案の概要】
【考案が解決しようとする課題】
【０００３】
しかしながら、数メートルにわたる長いバンテージを毎回練習後に手で巻き取るのは手間である。
【０００４】
また、人の手で行う為に力の加減や巻き方が適切でないとしっかり巻けずにほどけてきたり皺が寄る原因にもなる。
【０００５】
本考案は以上の様な状況を解決する為に、バンテージを簡単かつ素早く適切に巻き取ることができ、携帯にも便利なバンテージ巻き取り器の提供を目的としている。
【課題を解決するための手段】
【０００６】
本考案にかかるバンテージ巻き器はコの字型の本体と二股上の巻取り棒から成る。
【０００７】
本体には１対の穴が空いており、そこに巻取り棒を通し、巻取り棒の二股部分にバンテージ部分を引っ掛けて巻き取る仕様になっている。
【０００８】
本体には２本、バンテージを引っ掛ける為の軸棒を設置している。
【０００９】
２本の軸棒にバンテージを引っ掛け巻き棒にバンテージの端を挟み込み、それを穴に通した状態で巻き棒を回して使用する。
【考案の効果】
【００１０】
本考案のバンテージ巻き器は引っ掛ける、巻くという単純かつ簡単な作業でバンテージを巻くことができる。
【００１１】
また、本体に２本の軸棒を設置することによって、巻く過程でバンテージのヨレやシワが解消される為、巻き終わりも綺麗で保存状態も良好になる。
【００１２】
さらにシンプルな構造と部品により、軽くて小さいという利点も持つ。
【００１３】
本考案はバンテージ巻き器と表記したが、例えば医療用の包帯等にも使える。その場合、素手で触ることなく巻取りができる為、衛生的にも優れている。
【００１４】
上記の理由から、本考案はバンテージ使用者はもちろん、あらゆる帯状の物を手軽に素早く巻き取る術の提供を可能にした。
【図面の簡単な説明】
【００１５】
【図１】本考案の全体像を示す図である。
【図２】本考案の使用状態を示す図である。
【考案を実施するための形態】
【００１６】
本考案のバンテージ巻き器にバンテージを通して巻き棒で巻き取っていく。本体はコの字型であり、バンテージを引っ掛ける棒を２本備える。巻き棒は二股の形をしており、間にバンテージの端を挟み込める仕様になっている。
【図１】
0003225378.tif 000003
【図２】
0003225378.tif 000004
【手続補正書】
【提出日】令和1年12月20日(2019.12.20)
【手続補正１】
【補正対象書類名】実用新案登録請求の範囲
【補正対象項目名】全文
【補正方法】変更
【補正の内容】
【実用新案登録請求の範囲】
【請求項１】
コの字型であり、一対の穴とコの字の上底から下底にかけて溶接された棒を備えた本体と、先が二又で略４の字型であり巻取りの際の軸の役割を果たす巻取り棒から成るバンテージ巻き器。
【請求項２】
巻取り棒の二又部分にバンテージの片端を挟み込んだ状態で本体の一対の穴に挿し、本体とそれに溶接された棒の間をくぐらせながら巻取り棒を回転させることでバンテージを綺麗に、かつ素早く巻き取ることができる請求項１記載のバンテージ巻き器。
(57)【要約】      （修正有）【課題】食用金箔付きパールパウダー団子を提供する。【解決手段】パールパウダー団子１は、一つの本体１０及び複数の食用金箔２０を含み、当該本体１０は、澱粉で製作された団子状固体型物質であり、複数の食用金箔２０が当該本体１０に設置される。十分に煮られたパールパウダー団子１の本体１０が透明状を呈して、内部の食用金箔２０が見える。パールパウダー団子１の口当りを向上し、全体上の上品な効果を強化し、且つ、大衆美食の価値及び競争力を向上し、それに加えて、消費者の食用及び購買欲を吸引することができる。【選択図】図１
0003225311.tif 000002
【実用新案登録請求の範囲】
【請求項１】
少なくとも下記のもの、即ち、
澱粉で製作された団子状固定化型体である本体；及び
当該本体に設置される複数の食用金箔を含むことを特徴とする食用金箔付きパールパウダー団子。
【請求項２】
当該パールパウダー団子は、十分に煮られた後当該本体に、一つの核心部と一つの外層部があり、当該外層部が、当該核心部を覆い、且つ、当該外層部が透光層であることを特徴とする請求項１記載の食用金箔付きパールパウダー団子。
【請求項３】
当該本体が円形粒子、楕円形粒子又は方形粒子であることを特徴とする請求項１記載の食用金箔付きパールパウダー団子。
【考案の詳細な説明】
【技術分野】
【０００１】
本考案は、一種の食品に関わり、特に一種の食用金箔付きパールパウダー団子に関わる。
【背景技術】
【０００２】
パールパウダー団子は、多くの軽食とスイーツに欠かせない食材であり、既存のパールパウダー団子は十分に多様で、主に小粒子パウダー団子（パールと俗称する）、大粒子パウダー団子（波霸と俗称する）、透明パールパウダー団子及びカラーパールパウダー団子等のさまざまな形態を含み、既存のパールパウダー団子は、一般に澱粉類のサツマイモ粉で円形粒子状のパールパウダー団子に製作されるので、パールパウダー団子を煮ってる烹十分に煮って熟成することによって、口当りが滑らかで潤いがあり、且つ、柔らかいパールパウダー団子食品に調製できる。
【０００３】
その一方で、現在パールパウダー団子を採用する一番典型的な食品は、海外へ広く伝われたパールミルクティーであるが、その他の食品の面における研究運用も時に聞こえる。例えば、冷たいデザート、おぼろ豆腐、団子、アズキの湯とリョクトウ・スープ等。食品内に、皆パールパウダー団子を追加することによって味付けしたり又は配色したりすることによって、食品の口当りと豊富性を増やす。以上から見ると、パールパウダー団子が現在副食物スイーツの中で一番よく応用されている食品の一つであると言えると同時に、一番普遍的な大衆美食とも言える。
【０００４】
但し、現在パウダー団子製品の口当りが依然として単調で、今時激しい食品競争環境に直面する為に、どのようにパールパウダー団子の口当りを改善することによって、その他の製品と分別させることは、実際に関連業者が持続的に注目して考える値打ちがある重要な技術課題である。
【考案の概要】
【考案が解決しようとする課題】
【０００５】
以上に鑑みて、本考案は、一種の食用金箔付きパールパウダー団子を提供することを 主要目的とする。
【課題を解決するための手段】
【０００６】
前記目的を達成する為に、本考案のパールパウダー団子は、少なくとも下記を含む。澱粉で製作された団子状固体型物質である本体；当該本体に設置される複数の食用金箔。この構造を持って、十分に煮られたパールパウダー団子の本体が透明状を呈して、内部の食用金箔を見える。パールパウダー団子の口当りを向上し、パールパウダー団子の全体上の上品な効果を強化し、且つ、大衆美食の価値及び競争力を向上し、それに加えて、消費者の食用及び購買欲を吸引することができる。
【図面の簡単な説明】
【０００７】
【図１】本考案のパールパウダー団子の構造の立体図を示す。
【図２】本考案のパールパウダー団子を十分に煮えた後の構造模式図を示す。
【考案を実施するための形態】
【０００８】
第1図を参照してください。これは、本考案のパールパウダー団子の構造の立体図である。本考案のパールパウダー団子1は、少なくとも下記を含む。一つの本体10及び少なくとも一つの食用金箔20。その中で、
【０００９】
当該本体10が、澱粉で製作された団子状固体型物質である。その中で、当該本体の澱粉成分がタピオカ粉、トウモロコシ澱粉、サツマイモ粉又はジャガイモ粉等である可能性があり、澄んだ水を入れて団子状固体型物質に攪拌する。当該本体10の団子状固体型物質は、本実施形態において円形粒子である。但し、これは本考案を制限せず、前記円形粒子を除いて、楕円形粒子又は方形粒子又はその他の各種の形状又は造形形状は、皆本創作の保護範囲に属する。
【００１０】
複数の食用金箔20が、当該本体10に設置されている。その中で、当該複数の食用金箔20が、細かい薄片状を呈する。
【００１１】
本考案は、当該本体10を団子状に捏ねるプロセスにおいて、前記複数の食用金箔20をその中に混ぜ、且つ、その構造を均一に捏ねて散らすことによって、本体10が複数の食用金箔20の外部を覆うようにし、それに加えて、これを予定形状に成形する。
【００１２】
食用時、本考案のパールパウダー団子を、鍋に入れて沸騰させたり、燻ったりする等の手順で良く煮えた後、第2図で示すように、その本体10は、核心部11及び外層部12に分けられる。当該外層部12が、当該核心部11を覆い、複数の食用金箔20が、当該本体11及び当該外層部12に設置され、且つ、 当該外層部12が透光層であるので、 ユーザが食用金箔20を直接に見えるようにすることによって、 パールパウダー団子の全体上の上品な効果を強化し、且つ、消費者の食用及び購買欲を更に吸引することができる。これで、本考案のパールパウダー団子付き茶・飲料とジュースの市販率を向上する。
【００１３】
更に、本考案の本体にも、食用添加剤をさらに追加することができる。例えば、サボテン、キウイ、パインアップル、林檎、葡萄、人参、ドラゴンフルーツ、マンゴー、マルベリー、サツマイモ、カボチャ、サトイモ、黒ゴマ、竹炭、カカオ、抹茶、ソバ、アズキ又はカラメル等の食用できる食材を追加してから、蒸したり、又は炒めたりして炊きあがるようになった後、直接にこれを粒子物質に加工したり、又は切りつぶしたりする（例えばサツマイ、カボチャ、サトイモ、黒ゴマ、アズキの湯）か、ジュースを作ってから、澱粉成分を添加した後、粒子体に加工する。一方では、本考案のパールパウダー団子の風味及び口当りの層付き感を強化する。もう一方では、本考案のパールパウダー団子の多彩な色を強化する。食用金箔の色と組み合わせることによって、異なる多彩な効果を呈することができる。その上、皆天然食材の色を使用するので、消費者の身体に対して傷害を齎さないことにとどまらず、パールパウダー団子に含まれる前記食用添加剤の栄養成分を更に取得できる。
【符号の説明】
【００１４】
1    パールパウダー団子
10   本体
12   外層部
11   核心部
20   食用金箔
【図１】
0003225311.tif 000003
【図２】
0003225311.tif 000004
(57)【要約】      （修正有）【課題】卓球台に対して簡単に取り付け及び取り外しが可能である卓球練習用ネットを提供する。【解決手段】一対の枠体１に側面ネット５、上面ネット７及び背面ネット９を取り付ける。枠体間に紐状又は、帯状のゴム体１１を取り付ける。卓球台１５の端部下側にかけた状態で枠体を卓球台の端部両側縁に立てた状態で載せ、枠体間に突っ張り棒１７を配置する。【選択図】図４
0003225360.tif 000002
【実用新案登録請求の範囲】
【請求項１】
卓球台の端部に取り付けられ、打ち込まれた卓球の球を受けて、収容する、卓球練習用のネットであって、
卓球台の端部の幅方向両側縁部にそれぞれ載せられる一対の枠体と、
この一対の枠体の間に取り付けられた球受け用ネットと
前記枠体の下端部の間に、取り付けられ、卓球台に設置するときに、卓球台の端部の下側に位置し、卓球台の端部の幅方向両側縁部に載せられた枠体の下端部を、それぞれ外側に引っ張るゴム体と、
下端部がゴム体に引っ張られている枠体の上端部間に、配置される、突っ張り棒とを有する卓球練習用ネット。
【考案の詳細な説明】
【技術分野】
【０００１】  本考案は、卓球練習時に、卓球台に取り付けておき、打たれた卓球の球を収容しておく、卓球練習用ネットに関する。
【背景技術】
【０００２】  卓球を一人で練習する場合には、卓球台にネットを張り、このネットによって卓球の球が、捕獲されるように、卓球の球を打ち込んでいる。
【考案の概要】
【考案が解決しようとする課題】
【０００３】  しかしながら、上記のようなネットは卓球台に取りつけるのが、わずらわしい。【０００４】  そこで本考案は卓球台に対して簡単に取り付け及び取り外しが可能である卓球練習用ネットの提供を目的とする。
【課題を解決するための手段】
【０００５】  この目的を達成するための本考案の卓球練習用ネットは、卓球台の端部に取り付けられ、打ち込まれた卓球の球を受けて収容する卓球練習用のネットであって、卓球台の端部の幅方向両側縁部に、それぞれ載せられる一対の枠体と、この一対の枠体の間に取りつけられた、球受け用ネットと、前記枠体の下端部の間に取り付けられ、卓球台に設置するときに、卓球台の端部の下側に、位置し、卓球台の端部の幅方向両側縁部に載せられた、枠体の下端部をそれぞれ外側に引っ張るゴム体と下端部間に、配置される突っ張り棒とを有するものである。
【考案の効果】
【０００６】  本考案の卓球練習用ネットは、例えばゴム体を卓球台の端部の下側に、位置させた状態で一対の枠体を卓球台の端部の幅方向両側縁部に載せ、枠体の上端部間に突っ張り棒を配置するだけで簡単に設置できる。
【図面の簡単な説明】
【０００７】
【図１】一対の枠体を示す図である。
【図２】一対の枠体に、球受け用ネットを取り付ける場合を示す図である。
【図３】一対の枠体にゴム体を取り付ける場合を示す図である。
【図４】卓球練習用のネットを、卓球台に取り付ける場合を示す図である。
【考案を実施するための形態】
【０００８】卓球練習用ネットに用いられる、一対の枠体１，１は図１に示すように断面正方形の枠部、３，３によって正方形状に形成されている。
それぞれの枠体１，１には図２に示すように、外側から側面ネット５，５が取り付けられている。また枠体１，１の間には、上側から上面ネット７が、取り付けられ、後側から、背面ネット９が、取り付けられている。側面ネット５，上面ネット７、及び背面ネット９は球受け用ネットを構成する。上面ネット７及び背面ネット９の長さは、卓球台の端部の幅方向長さに等しいか、又は幅方向長さよりも多少長い程度にする。
【０００９】  枠体１，１間には、紐状又は帯状のゴム体１１が取り付けられている。ゴム体１１は、一方の端部が一方の枠体１の下側の枠部３に固定され、他方の端部が他方の枠体１の下側の枠部３に固定されている。
【００１０】  このように構成された卓球練習用ネット１３は、ゴム体１１を卓球台１５の端部下側にかけた状態で、それぞれの枠体１を卓球台１５の端部両側縁に立てた状態で載せる。ゴム体１１は、それぞれの枠体１を卓球台１５の端部両側縁に立てた状態で載せた時に、引っ張られた状態となり、枠体１の枠部３を外側に引っ張ることとなるように、設けられている。そして、枠体１が卓球台の幅方向、中央側に、たおれないように、枠体１の上側の枠部３間に突っ張り棒１７を配置する
【符号の説明】
【００１１】１      枠体
５      側面ネット
７      上面ネット
９      背面ネット
１１    ゴム体
１３    卓球練習用ネット
１５    卓球台
１７    突っ張り棒
【図１】
0003225360.tif 000003
【図２】
0003225360.tif 000004
【図３】
0003225360.tif 000005
【図４】
0003225360.tif 000006
(57)【要約】      （修正有）【課題】包摂力を持つシクロデキストリンにマタタビ抽出エキスを含浸吸着させ、繊維に固着させる事により、マタタビの揮発速度を抑制し長時間にわたって使用できる猫用マタタビ玩具を提供する。【解決手段】包摂力を持つシクロデキストリンにマタタビ抽出エキスを含浸吸着させ、繊維に浸透させた後に乾燥後、アイロン等による１８０度から２００度での高温熱処理を行い固着させた繊維で作成する事により、マタタビの揮発速度を抑制し長時間にわたって継続的に使用でき、効果が弱くなった後も市販のマタタビ抽出液を含侵させ熱処理をすることで再度使用可能となる。【選択図】図１
0003225329.tif 000002
【実用新案登録請求の範囲】
【請求項１】
包摂力を持つシクロデキストリンにマタタビ抽出エキスを含浸吸着させ、繊維に浸透させた後に乾燥後、アイロン等による１８０度から２００度での高温熱処理を行い固着させる事により、マタタビの揮発速度を抑制し長時間にわたって継続的に使用でき、効果が弱くなった後も市販のマタタビ抽出液を含侵させ熱処理をすることで再度使用可能となる猫用マタタビ玩具。
【考案の詳細な説明】
【技術分野】
【０００１】この考案は、包摂力を持つシクロデキストリンにマタタビ抽出エキスを含浸吸着させ、繊維に固着させる事により、マタタビの揮発速度を抑制し長時間にわたって使用できる猫用マタタビ玩具である。
【背景技術】
【０００２】従来の猫用玩具のマタタビは、使用時に一時的な使用にのみ対応した物やマイクロカプセルにマタタビを閉じ込めてシートに吹き付け固定して、猫がその上に乗りマイクロカプセルを破壊する事で、内部のマタタビの香り成分を発生させる物であった。
【考案の開示】
【発明者が解決しようとする課題】
【０００３】従来の猫用マタタビ玩具には次の様な問題点が有った。
従来の猫用マタタビ玩具は、一度使用すると効果が無くなり、再度新しい商品を購入する必要が有った。
シートにマイクロカプセルを吹き付け固定した商品も長期間の使用に耐える事は出来なかった。
本考案は、以上の様な問題点をなくすためになされたものである。
【課題を解決するための手段】
【０００４】包摂力を持つシクロデキストリンにマタタビ抽出エキスを含浸吸着させ、繊維に浸透させた後に乾燥後、アイロン等による１８０度から２００度での高温熱処理を行い固着させる構造で作成する。
以上の構成によりなる猫用マタタビ玩具である。
【考案の効果】
【０００５】マタタビ抽出エキスの成分をシクロデキストリンに包摂吸着させたうえで繊維に固着させる事によりマタタビ抽出エキスの成分が短時間に消滅すること無く長時間の継続使用が可能となり、効果が弱くなった後も市販のマタタビ抽出液を含侵させ熱処理をすることで再度使用可能となる。
固着させる繊維は、天然繊維であっても化学繊維であってもよい。
【考案を実施する為の最良の形態】
【０００６】以下、本考案の実施例に付いて説明する。
シクロデキストリンにマタタビ抽出エキスを含浸吸着させ、繊維に浸透させた後に乾燥後、アイロン等による１８０度から２００度での高温熱処理を行い固着させる事により、マタタビの揮発速度を抑制し長時間にわたって継続的に使用できる猫用マタタビ玩具であり、効果が弱くなった時には洗濯の後、通常に販売されている液体状のマタタビ液を布に含侵させて１８０度から２００度のアイロンをかける事により、マタタビ液が布に固着したシクロデキストリンに包摂吸着され、再度使用が可能となる。
なお、本考案の猫用マタタビ玩具の素材は繊維状の素材であれば、天然繊維でも化学繊維であってもよい。
【図面の簡単な説明】
【０００７】
【図１】  猫用マタタビ玩具。
【図２】  マタタビ抽出エキス
【図３】  マタタビ抽出エキスにシクロデキストリンを混入
【図４】  ３の溶液に猫用マタタビ玩具に使用する布を投入し含浸させる。
【図５】  ４の溶液を含浸させた布を絞る。
【図６】  ５の布を乾燥させる。
【図７】  ６の乾燥させた布を１８０度から２００度のアイロンで布繊維に付着した３の混合物質を繊維に固着させる。
【図８】  繊維に付着した３の混合物が１８０度から２００度の熱で固着する図。
【符号の説明】［１］  猫用マタタビ玩具
［２］  マタタビ抽出エキス
［３］  シクロデキストリン
［４］  マタタビ抽出エキスとシクロデキストリンの混合溶液
［５］  マタタビ抽出エキスとシクロデキストリンの混合溶液を含浸させた布
［６］  絞り機
［７］  乾燥機
［８］  アイロン
［９］  混合溶液を含浸させ、乾燥させた布
［１０］  繊維に付着する、マタタビ抽出エキスを包摂したシクロデキストリン
［１１］  繊維に固着したマタタビ抽出エキスを包摂したシクロデキストリン
【図１】
0003225329.tif 000003
【図２】
0003225329.tif 000004
【図３】
0003225329.tif 000005
【図４】
0003225329.tif 000006
【図５】
0003225329.tif 000007
【図６】
0003225329.tif 000008
【図７】
0003225329.tif 000009
【図８】
0003225329.tif 000010
【手続補正書】
【提出日】令和1年9月4日(2019.9.4)
【手続補正１】
【補正対象書類名】実用新案登録請求の範囲
【補正対象項目名】全文
【補正方法】変更
【補正の内容】
【実用新案登録請求の範囲】
【請求項１】
包摂力を持つシクロデキストリンにマタタビ抽出エキスを含浸吸着させ、繊維に浸透させた後に乾燥後、アイロン等による１８０度から２００度での高温熱処理を行い固着させた前提で作成する事により、マタタビの揮発速度を抑制し長時間にわたって継続的に使用でき、効果が弱くなった後も市販のマタタビ抽出液を含侵させ熱処理をすることで再度使用可能となる猫用マタタビ玩具。
【手続補正書】
【提出日】令和1年12月2日(2019.12.2)
【手続補正１】
【補正対象書類名】実用新案登録請求の範囲
【補正対象項目名】全文
【補正方法】変更
【補正の内容】
【実用新案登録請求の範囲】
【請求項１】
包摂力を持つシクロデキストリンにマタタビ抽出エキスを含浸吸着させ、繊維に浸透させた後に乾燥後、アイロン等による１８０度から２００度での高温熱処理を行い固着させた繊維で作成する事により、マタタビの揮発速度を抑制し長時間にわたって継続的に使用でき、効果が弱くなった後も市販のマタタビ抽出液を含侵させ熱処理をすることで再度使用可能をなる猫用マタタビ玩具。